(57)【特許請求の範囲】
【請求項１】
剛性部材からなる裏板と、この裏板に支持された緩衝材と、この緩衝材の表面を被覆する外皮と、を備えて使用者の頭部を保持する骨伝導スピーカ内蔵の頭部保持装置であって、
前記緩衝材と前記外皮とによって頭部が載る程度の表面積で適宜の厚さに構成される装置本体の厚さ方向に空間部を設けて、この空間部に、前記骨伝導スピーカを非接触状態で内蔵させてなり、
前記空間部は、前記緩衝材の裏面に配設され、前記外皮の裏面に至る程度で、かつ、前記骨伝導スピーカを、前記緩衝材および外皮に触れない非接触状態で内蔵させることができる程度の大きさに形成され、
前記骨伝導スピーカは、支持部材を介して前記裏板に支持された弾性部材によって、前記外皮に接近された状態で前記空間部に支持内蔵されて、前記外皮が頭部の重さなどによって沈むその沈み度合いに応じて前記伝導スピーカが頭部に一定の接触力で接触しながら上下方向に移動変位するように構成されていることを特徴とする骨伝導スピーカ内蔵の頭部保持装置。
【請求項２】
骨伝導スピーカが内蔵されている頭部保持装置であって、
緩衝材と外皮とによって頭部が載る程度の表面積で適宜の厚さに構成される装置本体の厚さ方向に空間部を設けて、この空間部に、前記骨伝導スピーカを非接触受態で内蔵させてなり、
前記空間部は、前記外皮の裏面に至る程度で、かつ、前記骨伝導スピーカを、前記緩衝材および外皮に触れない非接触状態で内蔵させることができる程度の大きさに形成され、
前記骨伝導スピーカは、気体または液体によって膨張・縮小する可変部材によって、前記空間部に移動変位するように支持内蔵されていることを特徴とする骨伝導スピーカ内蔵の頭部保持装置。
【請求項３】
骨伝導スピーカが内蔵されている頭部保持装置であって、
緩衝材と外皮とによって頭部が載る程度の表面積で適宜の厚さに構成される装置本体の厚さ方向に空間部を設けて、この空間部に、前記骨伝導スピーカを非接触受態で内蔵させてなり、
前記空間部は、前記外皮の裏面に至る程度で、かつ、前記骨伝導スピーカを、前記緩衝材および外皮に触れない非接触状態で内蔵させることができる程度の大きさに形成され、
前記骨伝導スピーカは、移動機構によって、前記空間部に移動変位するように支持内蔵されていることを特徴とする骨伝導スピーカ内蔵の頭部保持装置。
【請求項４】
骨伝導スピーカが内蔵されている頭部保持装置であって、
緩衝材と外皮とによって頭部が載る表面積で適宜の厚さに構成される装置本体を厚さ方向に可変自在に形成するとともに、該装置本体の厚さ方向に空間部を設けて、この空間部に、前記骨伝導スピーカを非接触状態で内蔵させてなり、
前記空間部は、前記外皮の裏面に至る程度で、かつ、前記骨伝導スピーカを、前記緩衝材および外皮に触れない非接触状態で内蔵させることができる程度の大きさに形成され、
前記装置本体を厚さ方向に縮めることによって、前記骨伝導スピーカに前記外皮が接近または接触するように構成されていることを特徴とする骨伝導スピーカ内蔵の頭部保持装置。
【請求項５】
請求項１から請求項４の何れか１項に記載の骨伝導スピーカ内蔵の頭部保持装置であって、マイクを備えていることを特徴とする骨伝導スピーカ内蔵の頭部保持装置。
【発明の詳細な説明】
【技術分野】
【０００１】
本発明は、頭部を保持させることによって音楽などを骨伝導（骨導音）により聴くことができる骨伝導スピーカ内蔵の頭部保持装置に係り、例えば、医療機関などの治療用椅子や車などの車両に備えられるヘッドレスト、あるいは通常の枕などとして、特に歯科治療用椅子のヘッドレストとして有効な骨伝導スピーカ内蔵の頭部保持装置に関する。
【背景技術】
【０００２】
従来から、頭部を保持する枕や医療用椅子のヘッドレストなどに、音楽などを骨伝導によって聴くことができるように骨伝導スピーカを内蔵させた頭部保持装置は知られている（例えば、特許文献１から特許文献４参照）。
骨伝導スピーカは、頭部のどの場所に接触しても音を聴くことができ、しかも、聴力の弱い難聴者に対しては補聴器の役割として利用することができるなどの様々な用途への応用が進んでいる。
【０００３】
例えば、歯科治療用椅子においては、エアタービンやその他の治療中に使用する治療器具から発生する不快な機械音（駆動音）や歯の切削音などの治療音が、患者に対して大きなストレスを与える要因になっている。
そこで、特許文献４では治療音による患者へのストレスを緩和し、リラックスして治療を受けてもらうために、患者に音楽などを聴かせることができる骨伝導スピーカ内蔵の頭部保持装置が開示されている。そして、健常者は勿論、難聴者と術者との会話を骨伝導によって行うことができる。例えば、術者が患者に治療場所の状態やその治療方法などを説明しながら治療ができるように、治療用椅子のヘッドレストに骨伝導スピーカを内蔵させている。
【特許文献１】特開２００４−５７２６１号公報（明細書段落番号０００５、図１および図２参照）
【特許文献２】特開２００５−１５１１８３号公報（明細書段落番号００２７〜００３１、図８〜図１０参照）
【特許文献３】特開２００４−２７５４１９号公報（明細書段落番号００２９〜００３５、図３および図４参照）
【特許文献４】特開２００５−６６０２１号公報（明細書段落番号０００８〜００１１、図１参照）
【発明の開示】
【発明が解決しようとする課題】
【０００４】
しかしながら、特許文献１および特許文献２において開示されている骨伝導スピーカ内蔵の頭部保持装置は、骨伝導スピーカが、枕などの装置本体を構成する連続気泡の発泡体であるウレタンなどからなる緩衝材（クッション材）とその表面を被覆する外皮（レザー）に接触させた状態で装置本体に組み込み内蔵（埋設）されていることで、頭部を載せない不使用時の状態、つまり、骨伝導スピーカに頭部が接触していない状態においても、音が洩れることがある。
これは、装置本体を構成する緩衝材や外皮などに骨伝導スピーカが常時接触（密着）した状態にあるために、頭部を保持する装置本体のほぼ全体を構成する大きな面積で、しかも、連続気泡からなる緩衝材に骨伝導スピーカの振動が伝わり易く、緩衝材に伝播された振動が空気振動に変換されて緩衝材全体がスピーカとなり、空気伝播音が発生する。このために、装置本体全体が通常のスピーカとして作用してしまい、頭部を載せない不使用時においても音が洩れる要因になっていた。
【０００５】
また、特許文献１〜特許文献４においては、いずれも骨伝導スピーカが、装置本体の定められた位置に不動な状態に固定されて内蔵されているために、例えば、枕として使用し、寝ながら音楽などを聴く場合などにおいて、寝返りすることができないなどの制約を受け易く、使用上の煩わしさがある。
つまり、頭部の向きなどを変えると、枕の表面側に位置してまたは表面から外部に露出して固定状態で備えられている骨伝導スピーカとの接触が保てなくなり、音が聴けなくなることがある。また、この現象は、寝返りによる非接触状態のみならず、頭部の大きさや形状などによっても起き得るなど、使用上の煩わしさが課題として残されていた。
【０００６】
そこで、本発明は、前記課題を解消すべく創案されたものであり、音洩れがなく、寝返りなどの使用上の制約を受けずに、また、頭部の重さを含めた大きさや形状などに関わらずに骨伝導スピーカが頭部に確実に接触するように改良された骨伝導スピーカ内蔵の頭部保持装置を提供することにある。
【課題を解決するための手段】
【０００７】
前記課題を解決するために、請求項１では、剛性部材からなる裏板と、この裏板に支持された緩衝材と、この緩衝材の表面を被覆する外皮と、を備えて使用者の頭部を保持する骨伝導スピーカ内蔵の頭部保持装置であって、前記緩衝材と前記外皮とによって頭部が載る程度の表面積で適宜の厚さに構成される装置本体の厚さ方向に空間部を設けて、この空間部に、前記骨伝導スピーカを非接触状態で内蔵させてなり、前記空間部は、前記緩衝材の裏面に配設され、前記外皮の裏面に至る程度で、かつ、前記骨伝導スピーカを、前記緩衝材および外皮に触れない非接触状態で内蔵させることができる程度の大きさに形成され、前記骨伝導スピーカは、支持部材を介して前記裏板に支持された弾性部材によって、前記外皮に接近された状態で前記空間部に支持内蔵されて、前記外皮が頭部の重さなどによって沈むその沈み度合いに応じて前記伝導スピーカが頭部に一定の接触力で接触しながら上下方向に移動変位するように構成されていることを特徴とする。
【０００８】
請求項１に記載の構成によれば、骨伝導スピーカは、装置本体の空間部に非接触状態で内蔵されている。つまり、頭部が載らない不使用の状態では装置本体を構成する緩衝材や外皮などに骨伝導スピーカが触れない状態にあることから、音洩れの心配はない。そして、頭部が載ることで、骨伝導スピーカは装置本体の外皮を介して頭部に接触し、骨伝導スピーカの振動が頭部に伝播される。これにより、音楽などを骨伝導（骨導音）により聴くことができる。
【０００９】
また、本発明では、前記骨伝導スピーカを、弾性部材によって前記外皮に接近された状態で前記空間部に支持内蔵させて、前記外皮が頭部の重さなどによって沈む前記装置本体の沈み度合いに応じて前記伝導スピーカが上下方向に移動変位するように構成することで、頭部の重さ（頭部の大きさや形状など）に関わらずに、骨伝導スピーカを頭部に一定の接触力によって接触させることができる。また、寝返りなどによって頭部の向きが変わった場合でも骨伝導スピーカが頭部から離れることなく、頭部に対する接触状態が保たれるように、骨伝導スピーカは弾性部材によって弾性支持される。
【００１１】
また、本発明では、前記骨伝導スピーカを、気体または液体によって膨張・縮小する可変部材によって、前記空間部に移動変位するように支持内蔵させて構成することが好適なものとなる。
このように構成することにより、可変部材を膨張させることによって、骨伝導スピーカを、装置本体の外皮に接近または接触させることができる。また、可動部材の膨らみ度合いを調整することによって、頭部への骨伝導スピーカの接触具合（当たり具合）を任意に変えることができる。
【００１２】
また、本発明では、前記骨伝導スピーカを、移動機構によって前記空間部に移動変位するように支持内蔵させて構成することが好適なものとなる。
このように構成することにより、使用するときに、移動機構によって骨伝導スピーカを装置本体の外皮に接近または接触させ、この状態で装置本体に頭部を載せることで、骨伝導スピーカは装置本体の外皮を介して頭部に確実に接触し、骨伝導スピーカの振動が頭部に伝播される。
【００１３】
そして、請求項４では、骨伝導スピーカが内蔵されている頭部保持装置であって、緩衝材と外皮などによって頭部が載る表面積で適宜の厚さに構成される装置本体を厚さ方向に可変自在に形成するとともに、該装置本体の厚さ方向に空間部を設けて、この空間部に、前記骨伝導スピーカを非接触状態で内蔵させてなり、前記空間部は、前記外皮の裏面に至る程度で、かつ、前記伝導スピーカを、前記緩衝材や外皮などに触れない非接触状態で内蔵させることができる程度の大きさに形成され、前記装置本体を厚さ方向に縮めることによって、前記骨伝導スピーカに前記外皮が接近または接触するように構成されていることを特徴とする。
【００１４】
請求項４に記載の構成によれば、前記した請求項１に記載の作用のように、頭を載せない不使用の状態では音洩れの心配はない。そして、使用するときには、装置本体の厚さを縮めることにより装置本体の厚さを可変して、空間部に内蔵されている骨伝導スピーカに、装置本体の外皮を接近または接触させた状態で装置本体に頭部を載せる。これにより、骨伝導スピーカは装置本体の外皮を介して頭部に接触し、骨伝導スピーカの振動が頭部に伝播され、音楽などを骨伝導（骨導音）により聴くことができる。
【００１５】
また、本発明では、請求項１から請求項４の何れか１項に記載の骨伝導スピーカ内蔵の頭部保持装置であって、マイクを備えていることを特徴とする。
このように構成することで、例えば、頭部保持装置を、歯科治療用椅子のヘッドレストとして使用（適用）した場合、術者が患者に治療場所の状態やその治療方法などを骨伝導によって説明しながら治療をすることができる。
【発明の効果】
【００１６】
本発明に係る骨伝導スピーカ内蔵の頭部保持装置は以上のように構成されていることで、頭部を載せない不使用の状態において音洩れがするおそれはない。そして、頭部を載せた使用状態においては、寝返りなど頭部の向きを変えるなどの使用上の制約を受けず音楽などを確実に聴くことができる。
また、例えば、歯科治療用椅子のヘッドレストとして使用（適用）した場合においては、患者の頭部の大きさや形状などに関わらずに骨伝導スピーカを患者の頭部に確実に接触させた状態で、骨伝導用マイクを通して術者が患者に治療場所の状態やその治療方法などを骨伝導によって説明しながら治療をすることができる。
【発明を実施するための最良の形態】
【００１７】
以下、本発明の実施形態について、適宜図面を参照しながら詳細に説明する。
【００１８】
[第１の実施形態]
図１は、本発明に係る骨伝導スピーカ内蔵の頭部保持装置の実施形態を示す斜視図である。図２は、第１の実施形態を示し、（ａ）は、骨伝導スピーカが装置本体の外皮に触れずに、外皮に接近している状態を示す図１のａ−ａ線に沿えた断面図であり、（ｂ）は、図１のｂ−ｂ線に沿えた同断面図であり、（ｃ）は、支持部材の両端に弾性部材を介して骨伝導スピーカを取り付けた状態を示す斜視図である。図３は、同第１の実施形態の装置本体に頭部を載せたときの使用状態を示し、（ａ）は、比較的頭部が軽い使用者が使用したときの膨出部（外皮）の沈みによる頭部と骨伝導スピーカとの接触状態を示す断面図であり、（ｂ）は、比較的頭部が重い使用者が使用したときの膨出部を含めた凹み全体の外皮の沈みによる頭部と骨伝導スピーカとの接触状態と、外皮の沈み度合いに応じた骨伝導スピーカの降下移動状態を示す断面図である。図４は、同頭部保持装置を歯科治療用椅子のヘッドレストとして使用した場合の使用形態を示す斜視図である。
【００１９】
≪頭部保持装置の説明≫
頭部保持装置Ａは、図２に示すように、装置本体１の後記する空間部３に、骨伝導スピーカ２を非接触状態で内蔵させることによって構成されている。
なお、本実施形態では、図１において、紙面の上方を頭部保持装置（装置本体）の上部、紙面の下方を頭部保持装置（装置本体）の下部、紙面の左右を頭部保持装置（装置本体）の両側部としている。
【００２０】
≪骨伝導スピーカの説明≫
骨伝導スピーカ２は、周知の構造を呈しており、例えば、電磁式と圧電式との二つのタイプがある。なお、骨伝導スピーカ２は、電磁式と圧電式に限定されず、どのような構造の骨伝導スピーカであってもよい。本実施形態では電磁式を用いている。
図示を省略しているが、電磁式の骨伝導スピーカ２は、ケーシング（ヨーク）の内部中央に磁界の変化によって伸縮する性質を持った超磁歪ロッドが配設されており、電流エネルギーを機械エネルギーに変換できるようにしている。
【００２１】
そして、超磁歪ロッドの外周には超磁歪ロッドの軸方向に音声電流に応じた磁界を形成する磁界発生電磁コイルが設けられている。また、磁界発生電磁コイルの外周には前記超磁歪ロッドにバリアス磁界発生磁石が設けられている。
また、超磁歪ロッドの一端はケーシングに固定されており、他端は前記磁界発生電磁コイルで生じる磁界変化により超磁歪ロッドの軸線方向に伸縮する自由端としている。この自由端には可動ロッドが連結されており、この可動ロッドの先端部には振動素子が取り付けられていて、この振動素子が頭部に接触する（当たる）ように構成されている。
【００２２】
このように構成されている電磁式の骨伝導スピーカ２は、ケーシングの底部などに備えられている外部電流端子にコードを接続し、ＣＤプレーヤーあるいは後記する骨伝導用マイクＣ（図４参照）、その他の音声送信装置に専用のアダプタなどを介して接続されることによって、音声送信装置の音声信号が音声電流となって骨伝導スピーカの磁界発生コイルに供給される。これにより、超磁歪ロッドの軸方向に形成される磁界の強度が音声電流に応じて変化し、超磁歪ロッドは軸線方向に伸縮する。この伸縮により振動素子が振動することによって、頭部に振動が伝わり、音楽などを骨伝導（装置本体）により聴くことができるようになっている。
【００２３】
≪装置本体の説明≫
図２に示すように、装置本体１は、連続気泡の発泡体であるウレタンなどからなる緩衝材１ａを用いて使用者の頭部Ｂを保持し得る程度の表面積と厚さを有する適宜の大きさに形成されている。そして、緩衝材１ａの表面全体が、緩衝材１ａの形状に沿うように縫製されたレザーなどの外皮１ｂによって被覆されている。
また、図２に示すように、緩衝材１ａの裏面には合成樹脂材料やその他の剛性材料からなる裏板１ｃが宛がわれている。また、緩衝材１ａの表面には、両側部と、この両側部に連なる上部と下部とのコーナー部位を残して頭部Ｂの形状に沿うようにほぼ球面状に凹ませた凹み５が設けられており、図３に示すように、頭部Ｂがフィットした状態で安定的に保持されるように形成されている。
ちなみに、裏板１ｃは、緩衝材１ａの発泡成形のときに、緩衝材１ａの裏面に同時に宛がわれるようにするもよく。また、緩衝材１ａを発泡成形した後に、その裏面に接着剤などを用いて固定するなど任意である。
【００２４】
また、図２に示すように、装置本体１には、空間部３が二ヶ所に設けられており、この空間部３に、後記する弾性部材４を介して骨伝導スピーカ２が支持内蔵されている。また、図１に示すように、装置本体１の下部中央部位にはくびれ部６が設けられている。
このくびれ部６は、例えば、図４に示すように、歯科治療用椅子Ｄの背凭れＤ２を倒した際に、患者の首が入るようにして、患者の首を持ち上げないように形成されている。これによって、患者の頸推を圧迫しないようにしている。つまり、患者の首が持ち上げられると、頸推が圧迫されて喉を詰まらせるおそれがあることから、くびれ部６は患者の喉の詰まりを防ぐように装置本体１の下部に、前記した凹み５に連ねた状態で形成されている（図２の（ｂ）参照）。
【００２５】
≪空間部の説明≫
空間部３は、頭部Ｂが装置本体１に載らない不使用の状態において、骨伝導スピーカ２が、装置本体１を構成する緩衝材１ａや外皮１ｂなどに触れない非接触状態で内蔵させるための空間であり、図２に示すように、所定の間隔をおいた装置本体１の二ヶ所に、装置本体１の裏板１ｃから外皮１ｂに向けた装置本体１の厚さ方向に下向き開口の穴形状に形成されている。
また、空間部３は、頭部Ｂが載る装置本体１の凹み５部分を被覆する外皮１ｂに至る程度の深さで、骨伝導スピーカ２、この骨伝導スピーカ２を支持する弾性部材４や支持部材７が穴内面に接触しない程度の開口大きさに形成されており、弾性部材４および支持部材７によって骨伝導スピーカ２が支持内蔵されるようにしている。
【００２６】
そして、このようにして装置本体１に形成される空間部３の穴上部に位置する凹み５の表面には、図２に示すように、緩やかなほぼ円弧状に膨らませた膨出部８が形成されている。これにより、膨出部８が頭部Ｂの重みなどにより沈み変形することによって、空間部３に内蔵支持されている骨伝導スピーカ２に外皮１ｂを介して頭部Ｂが接触するようにしている。
【００２７】
≪弾性部材の説明≫
弾性部材４は、装置本体１に載る使用者の頭部Ｂに対して骨伝導スピーカ２が一定の接触力で接触する（当たる）ように、骨伝導スピーカ２を装置本体１の二ヶ所の空間部３に内蔵支持するものである。この弾性部材４としては、適度の弾性を有する発泡体（スポンジ）やゴム、あるいは図示したようなコイルスプリングなどが挙げられる。
図示のように、スプリングを用いる場合には制振材を用いて形成することが好適なものとなる。つまり、骨伝導スピーカ２の振動が制振材によって吸収され、支持部材７を介して装置本体１の裏板１ｃへの振動が阻止されることになる。これにより、外部への音洩れを効果的に防ぐことが期待できる。
勿論、支持部材７をも制振材によって形成することで、音洩れ効果をより一層効果的に防ぐことができる。
【００２８】
このように構成された第１の実施形態に係る頭部保持装置Ａは、図２に示すように、装置本体１の裏板１ｃに取り付けられる支持部材７の傾斜両端に、弾性部材４を介して骨伝導スピーカ２を支持されることによって、該骨伝導スピーカ２を空間部３の穴内面に非接触状態で、かつ、空間部３の穴上部の膨出部８（外皮１ｂ）に接近させた状態で内蔵支持させることができる。これにより、頭部Ｂが載らない不使用の状態では骨伝導スピーカ２が装置本体１を構成する緩衝材１ａや外皮１ｂなどに触れない非接触状態とすることができ、音洩れを確実に防ぐように構成している。
【００２９】
そして、図３の（ａ）に示すように、比較的頭部Ｂが軽い使用者が使用すると、頭部Ｂを保持する凹み５の表面においてほぼ球面状に出っ張っている膨出部８が頭部Ｂの重さにより空間部３側に沈む。これにより、頭部Ｂが膨出部８（外皮１ｂ）を介して骨伝導スピーカ２に接触し、骨伝導スピーカ２の振動が頭部Ｂに伝播されて音楽などを骨伝導（骨導音）により聴くことができる。
【００３０】
また、図３の（ｂ）に示すように、比較的頭部Ｂが重い使用者が使用すると、頭部Ｂを保持する凹み５が全体的に沈み込む。すると、その沈み度合いに応じて弾性部材４によって支持されている骨伝導スピーカ２は降下移動される。これにより、比較的頭部Ｂが重い使用者が使用した場合においても、前記した比較的頭部Ｂが軽い使用者が使用した場合における頭部Ｂに対する骨伝導スピーカ２の接触とほぼ同じ一定の接触力での接触となる。
つまり、使用者個人の頭部Ｂの重さ（頭部の大きさや形状など）に関わらずに、骨伝導スピーカ２を頭部Ｂに対して一定の接触力で接触させることができる。これにより、例えば、長時間の使用においても骨伝導スピーカ２との接触（当たり）による痛みや違和感などを感じることなく、快適に使用することができる。
【００３１】
また、寝返りなどによって頭部Ｂの向きや角度が変わり、そして頭部Ｂが載る装置本体１の凹み５などの沈み形態が、寝返りによる頭部Ｂの形状に沿って変わった場合でも骨伝導スピーカ２が弾性部材４によって内蔵支持されていることで、骨伝導スピーカは弾性部材４の弾性力により頭部Ｂから離れることなく、頭部Ｂに対する接触状態が一定に保たれる。
つまり、二ヶ所の空間部３に弾性部材４によって内蔵支持されている両骨伝導スピーカ２の内、その一方は降下移動、もう一方は上昇移動するなどの凹み５の沈み度合いに応じた弾性部材４の上下の動きによって、骨伝導スピーカ２は頭部Ｂとの接触状態が保たれる。これにより、使用上の制約を受けずに使用することができる。
【００３２】
また、本実施形態に係る頭部保持装置Ａは、図４に示すように、マイクを備えており、歯科治療用椅子Ｄなどのヘッドレストとして使用される場合に、術者が患者に治療場所の状態やその治療方法などを骨伝導によって説明しながら治療をすることができるように構成されている。
【００３３】
なお、本実施形態で用いているマイクは、骨伝導用マイクＣである。この骨伝導用マイクＣは、治療器具から発生する機械音（駆動音）や歯の切削音などを拾うことなく、術者の声のみを拾い、患者に術者の声のみを骨伝導（骨導音）により聴かせることができるように構成されている周知の骨伝導専用のものである。
なお、骨伝導用マイクＣ、ＣＤプレーヤーなどの音声送信装置と骨伝導スピーカ２との接続は、有線、無線のいずれでもよい。また、図示を省略しているが、術者が患者に話しをかけるときには、骨伝導用マイクＣのスイッチを入れることで、ＣＤプレーヤーなどからの音楽の送信が一時的にとまり、骨伝導用マイクＣから術者の話が送信されるように自動的に切り替わるように構成することが可能である。
【００３４】
[第２の実施形態]
図５は、本発明に係る骨伝導スピーカ内蔵の頭部保持装置の第２の実施形態を示し、（ａ）は、頭部保持装置を示す斜視図であり、（ｂ）は、骨伝導スピーカが取り付けられている振動部材の両端側が、装置本体の外皮に接触せずに、装置本体の凹みの凹み形状に沿って接近している状態を示す断面図であり、（ｃ）は、振動部材の両端に骨伝導スピーカを取り付けた状態を示す斜視図である。
図５に示すように、頭部保持装置Ａ−１は、振動部材９によって、骨伝導スピーカ２を装置本体１に設けられる二ヶ所の両空間部３に、非接触状態で内蔵支持させることによって構成されている。
このように、第２の実施形態に係る頭部保持装置Ａ−１では、骨伝導スピーカ２を振動部材９によって空間部３に内蔵支持させたものであり、それ以外の構成要素においては前記した第１の実施形態と基本的に同じことから同じ構成要素については同じ符号を付することで重複説明は省略する。
【００３５】
≪振動部材の説明≫
振動部材９は、図５の（ｂ）および（ｃ）に示すように、帯状の板材によって折り曲げ形成されるものであり、両端側が、空間部３の穴上部（凹み５の凹み形状）に沿うようにほぼ弓なり形状（円弧形状）に折り曲げ形成されている。
また、図５の（ｂ）に示すように、振動部材９は、中央部位を装置本体１の裏板１ｃに取り付けられることで、骨伝導スピーカ２を裏側に備えるほぼ弓なり形状の両端側が、凹み５の凹み形状に沿って外皮１ｂに接近した状態で装置本体１−１の二ヶ所に設けられている両空間部３に内在されるように形成されている。これにより、骨伝導スピーカ２は装置本体１の両空間部３に、外皮１ｂや緩衝材１ａに触れない非接触状態で内蔵支持される。
【００３６】
なお、この第２の実施形態では、装置本体１の二箇所に設ける空間部３を、振動部材９の板幅より広めの溝幅で装置本体１の両側部方向に長いほぼ溝形状に開口させることで、振動部材９の両端側を、装置本体１の凹み５の凹み形状に沿わせたその幅方向ほぼ全域に亘り内在させることができる。これにより、頭部Ｂが載る凹み５部分の頭部保持力（適度のクッション性と表面硬さ）を低下させることなく、骨伝導スピーカ２と頭部Ｂとの接触面積を振動部材９によって効率的に広くすることができる。
【００３７】
このように構成された頭部保持装置Ａ−１によれば、骨伝導スピーカ２の振動は、頭部Ｂが接触する振動部材９を介して頭部Ｂに伝播される。つまり、振動部材９によって頭部Ｂとの接触面積を広くすることで、例えば、寝返りして頭部Ｂの向きや角度が変わった場合においても、骨伝導スピーカ２の振動は、装置本体１の両側部方向に長く、凹み５の凹み形状に沿って二箇所の空間部３に内在されている振動部材９によって頭部Ｂに確実に伝播されることとなる。
【００３８】
なお、図示を省略しているが、振動部材９の両端側の長さや形状などは特に限定されるものではない。例えば、長さを骨伝導スピーカ２が取り付けられる程度まで短く形成することは可能である。一方、形状においては、直線的な形状や、ほぼくの字形状、ほぼへの字形状に形成するなど任意である。
【００３９】
[第３の実施形態]
図６は、本発明に係る骨伝導スピーカ内蔵の頭部保持装置の第３の実施形態を示す断面図である。
図６に示すように、頭部保持装置Ａ−２は、気体または液体の出し入れによって膨らんだり、縮んだりする可変部材１０によって、骨伝導スピーカ２を装置本体１に設けられる二ヶ所の空間部３に、非接触状態で、かつ、上下方向に移動変位するように支持内蔵させることによって構成されている。
このように、第３の実施形態では、可変部材１０によって骨伝導スピーカ２を空間部３に内蔵支持させたものであり、それ以外の構成要素においては前記した第１の実施形態と基本的に同じことから同じ構成要素については同じ符号を付することで重複説明は省略する。
【００４０】
≪可変部材の説明≫
図６に示すように、可変部材１０は、ゴムやその他の部材などを用いて風船やバルンなどのように、気体または液体の出し入れによって膨らんだり、縮んだり（しぼんだり）するように形成されている。そして、可変部材１０にはホース１０ａが接続されており、図示省略の供給装置からの気体または液体、本実施形態では空気を送り込んで膨らませたり、抜くことで縮む（しぼむ）ようにしている。
このように形成された可変部材１０は、骨伝導スピーカ２を頂部部位に取り付け、空間部３に裏蓋１１によって固定的に内蔵される。
【００４１】
なお、可変部材１０に空気を送り込んだり、抜いたり、また、その送り込み量や抜き量、そして空気圧などについては、供給装置などに備えられている回転摘みやボタンなどの操作によって適宜調節することができるようにしてある。つまり、可変部材１０の膨らみ度合いを適宜調節することで、骨伝導スピーカ２を外皮１ｂから離したり、外皮１ｂに接近または接触させたり、頭部Ｂを載せたときに、頭部Ｂに対する骨伝導スピーカ２の接触（当たり）具合などを任意に変えることができるようにしている。
【００４２】
このように構成された頭部保持装置Ａ−２によれば、図６に二点鎖線で示すように、可変部材１０から空気を抜いて、該可変部材１０の膨らみを小さくしておくことで、頭部Ｂが載らない不使用の状態では骨伝導スピーカ２を外皮１ｂから離した非接触状態とすることができる。これにより、使用していないときには音洩れを確実に防ぐことができる。
そして、可変部材１０に空気を送り込んで膨らませることで、骨伝導スピーカ２を、外皮１ｂに接近または接触させた状態で、頭部Ｂの重さにより凹み５の外皮１ｂが沈むことにより、頭部Ｂが外皮１ｂを介して骨伝導スピーカ２に接触し、骨伝導スピーカ２の振動が頭部Ｂに伝播される。これにより、音楽などを骨伝導（骨導音）により聴くことができる。このとき、空気圧を調節して可変部材１０の膨らみ度合いを変えるなどによって、骨伝導スピーカ２の頭部Ｂへの接触具合（当たり具合）を使用者個人に合わせることができる。
【００４３】
[第４の実施形態]
図７は、本発明に係る骨伝導スピーカ内蔵の頭部保持装置の第４の実施形態を示し、（ａ）は、骨伝導スピーカが装置本体の外皮から離れている状態を示す断面図であり、（ｂ）は、断面位置を変えた同断面図である。
図７に示すように、頭部保持装置Ａ−３は、移動機構１２によって、骨伝導スピーカ２を装置本体１に設けられる空間部３に、非接触状態で、かつ、移動変位するように支持内蔵させることによって構成されている。
このように、第４の実施形態では、移動機構１２によって骨伝導スピーカ２を空間部３に内蔵支持させたものであり、それ以外の構成要素においては前記した第１の実施形態と基本的に同じことから同じ構成要素については同じ符号を付することで重複説明は省略する。
【００４４】
≪移動機構の説明≫
移動機構１２は、圧搾空気などによって駆動するシリンダ１２ａによって、骨伝導スピーカ２を上端に取り付けた傾動腕杆１２ｂの下端側を、装置本体１の上部および下部側に動かすことによって、骨伝導スピーカ２が空間部３内において外皮１ｂに接近したり、外皮１ｂから離れるように上下方向に移動変位するように形成されている。
【００４５】
図７に示すように、シリンダ１２ａは、ケーシングの後端が装置本体１の裏板１ｃに取り付けられているブラケット１３に取り付けられるとともに、図示省略の圧搾空気発生装置などにホースなどによって接続されている。
傾動腕杆１２ｂは、その長さ方向中央部位が、裏板１ｃに取り付けられているブラケット１４に軸着されて、この軸着部Ｐを支点に装置本体１の上部側および下部側に傾動するように形成されている。
【００４６】
図７の（ｂ）に示すように、ブラケット１４は、裏板１ｃを跨ぐように、二ヶ所の空間部３間に亘り取り付けられて、各空間部３に配される両傾動腕杆１２ｂを、１本のピン１５によって軸支により連結するようにしている。つまり、二ヶ所の空間部３に傾動可能に配される両傾動腕杆１２ｂの内、その一方の傾動腕杆１２ｂの下端側にシリンダ１２ａのロッド１６を連結することで、両空間部３に夫々配される両傾動腕杆１２ｂが一ヶ所のシリンダ１２ａによって装置本体１の上部側および下部側に傾動するようにしている。
【００４７】
なお、図示を省略しているが、二ヶ所の空間部３にそれぞれ傾動可能に配される両傾動腕杆１２ｂを、それぞれに備えたシリンダ１２ａによって同調または独立させて傾動させるようにしてもよい。
【００４８】
また、シリンダ１２ａに圧搾空気を送り込んで、骨伝導スピーカ２を、図の実線で示す位置（外皮１ｂから離れた位置）から二点鎖線で示す位置（外皮１ｂに接近させて位置）に移動させる動きは、頭部Ｂを装置本体１の凹み５に載せる前に行う。例えば、前記の図４において説明したように、歯科治療用椅子Ｄなどのヘッドレストとして使用される場合には、患者が座面Ｄ１に着座したとき、あるいは背凭れＤ２を後ろに倒すときに行う。この場合、歯科治療用椅子Ｄなどに備えられているスイッチ、例えば、背凭れＤ２を倒すためのスイッチ操作などに連動させるなどによって圧搾空気発生装置を作動させ、シリンダ１２ａを動かして骨伝導スピーカ２を外皮１ｂに接近または接触させるように、傾動腕杆１２ｂを傾動させるなどが可能である。
【００４９】
このように構成された頭部保持装置Ａ−３によれば、使用しないときは、図７の（ａ）に示すように、移動機構１２によって骨伝導スピーカ２を装置本体１の外皮１ｂから離しておく。これにより、頭部Ｂが載らない不使用の状態では音洩れを確実に防ぐことができる。
そして、使用するときには、移動機構１２の動作によって骨伝導スピーカ２を外皮１ｂに接近または接触させ、この状態で装置本体１の凹み５に頭部Ｂを載せることで、骨伝導スピーカ２は外皮１ｂを介して頭部Ｂに接触し、骨伝導スピーカ２の振動が頭部Ｂに伝播される。これにより、音楽などを骨伝導（骨導音）により聴くことができる。
【００５０】
[第５の実施形態]
図８は、本発明に係る骨伝導スピーカ内蔵の頭部保持装置の第５の実施形態を示し、（ａ）は、骨伝導スピーカが装置本体の外皮から離れている状態を示す断面図であり、（ｂ）は、断面位置を変えて示す同断面図であり、（ｃ）は、装置本体を厚さ方向に縮めて、骨伝導スピーカを外皮に接近させた使用状態を示す断面図である。
図８に示すように、頭部保持装置Ａ−４は、装置本体１−１を厚さ方向に可変自在に形成するとともに、装置本体１−１の厚さ方向に空間部３−１を設けて、この空間部３−１に、骨伝導スピーカ２を非接触状態で支持内蔵させることによって構成されている。
【００５１】
≪装置本体の説明≫
装置本体１−１は、前記した第１の実施形態のように、連続気泡の発泡体であるウレタンなどからなる緩衝材１ａを用いて使用者の頭部Ｂを保持し得る程度の表面積と厚さを有する適宜の大きさに形成されている。そして、緩衝材１ａの表面全体が、緩衝材１ａの形状に沿うように縫製されたレザーなどの外皮１ｂによって被覆され、緩衝材１ａの裏面には裏板１ｃが宛がわれている。
また、図８に示すように、装置本体１−１は、裏板１ｃから適宜の間隔をおいて、この裏板１ｃと同じ形状に形成されている第２の裏板１ｄを配するとともに、この第２の裏板１ｄと前記裏板１ｃとの周囲縁に亘り筒体１７を取り付けている。
【００５２】
筒体１７は、平面視が裏板１と同じ形状で筒方向に伸縮自在とする蛇腹形状に形成されており、裏板１ｃと第２の裏板１ｄとの間隔が狭まるようにしている。つまり、装置本体１−１をその表面から下方に押すことにより、装置本体１−１は図８の（ｂ）および（ｃ）に示すように、厚さ方向に可変自在に形成されている。
そして、筒体１７によって密閉状に囲まれた裏板１ｃと第２の裏板１ｄとの間に充填材２１を内在させることで、装置本体１−１の厚さを、前記した第１の実施形態などにおける装置本体１に比べてほぼ２倍程度に厚く形成している。
充填材２１は、緩衝材１ａよりも柔らかい、例えば、弾性に優れたスポンジなどから形成されている。
【００５３】
また、装置本体１−１の裏板１ｃには、裏板１ｃと第２の裏板１ｄとの間隔を狭めて装置本体１−１を厚さ方向に縮めたときに、この状態を保つためのフック形状を呈する止め金具１８が１乃至数ヶ所に備えられており、この止め金具１８を第２の裏板１ｄに係脱自在に係止させるようにしている。
なお、頭部Ｂが載る装置本体１−１の表面形状などは、第１の実施形態と基本的に同じことから同じ構成要素に同じ符号を付することで重複説明は省略する。
【００５４】
≪空間部の説明≫
図８に示すように、空間部３−１は、所定の間隔をおいた装置本体１−１の二ヶ所に、装置本体１−１の第２の裏板１ｄから裏板１ｃを貫通して外皮１ｂに至る程度の深さで装置本体１−１の厚さ方向に穴形状に形成されている。
また、空間部３−１は、骨伝導スピーカ２、この骨伝導スピーカ２を支持する支持部材１９が穴内面に接触しない程度の開口大きさに形成されており、支持部材１９およびこの支持部材１９を裏板１ｃに取り付ける支持部材２０によって骨伝導スピーカ２が支持内蔵されるようにしている。
【００５５】
なお、図示例においては、支持部材１９を適宜の高さを有する円筒形状に形成しているが、前記した第１の実施形態のようにコイルスプリングなどを用いて形成するもよい。コイルスプリングを用いて形成することで、第１の実施形態における弾性部材４と同じ作用が得られることとなり、有効である。
また、図示を省略しているが、裏板１ｃ、第２の裏板１ｄおよび筒体１７によって形成される装置本体１−１の厚さ方向の可変部分を密閉された空間として、この空間に適宜の空気圧状態で空気を内在させたエア方式により、装置本体１−１を厚さ方向に可変できるように形成するもよい。この場合、空間部３−１が形成される部分においても蛇腹形状の筒体を用いて密閉された空間とする。
【００５６】
このように構成された頭部保持装置Ａ−４によれば、図８の（ａ）および（ｂ）に示すように、頭部Ｂが載らない不使用の状態では骨伝導スピーカ２が外皮１ｂや緩衝材１ａに触れない非接触状態で、装置本体１−１の二ヶ所の両空間部３−１に内蔵させることができる。これにより、音洩れを確実に防ぐことができる。
そして、装置本体１−１の表面側を押し下げて装置本体１−１を厚さ方向に縮めることによって、図８の（ｃ）に示すように、空間部３−１の骨伝導スピーカ２に外皮１ｂを接近または接触させた状態で、頭部Ｂの重さにより凹み５の外皮１ｂが沈むことにより、頭部Ｂが外皮１ｂを介して骨伝導スピーカ２に接触し、骨伝導スピーカ２の振動が頭部Ｂに伝播される。これにより、音楽などを骨伝導（骨導音）により聴くことができる。
【００５７】
なお、本発明の実施形態の具体的な構成は、前記した実施形態に限られるものではなく、請求項１〜請求項７に記載の本発明の要旨を逸脱しない範囲の設計において変更などがあっても本発明に含まれるものである。
例えば、骨伝導スピーカ２を内蔵させる空間部３，３−１は二ヶ所に限らず、寝返りや頭部Ｂの角度を変えた場合においても骨伝導スピーカ２が頭部Ｂにより一層確実に接触するように、三ヶ所または四ヶ所などの複数ヶ所に設けるもよく、任意である。
また、マイクは、骨伝導用マイクＣに限定されるものではなく、一般的に知られている音声用マイク（マイクロホン）でもよい。
【図面の簡単な説明】
【００５８】
【図１】本発明に係る骨伝導スピーカ内蔵の頭部保持装置の実施形態を示す斜視図である。
【図２】本発明に係る骨伝導スピーカ内蔵の頭部保持装置の第１の実施形態を示し、（ａ）は、骨伝導スピーカが装置本体の外皮に触れずに、外皮に接近している状態を示す図１のａ−ａ線に沿えた断面図であり、（ｂ）は、図１のｂ−ｂ線に沿えた同断面図であり、（ｃ）は、支持部材の両端に弾性部材を介して骨伝導スピーカを取り付けた状態を示す斜視図である。
【図３】同第１の実施形態の装置本体頭部を載せたときの使用状態を示し、（ａ）は、比較的頭部が軽い使用者が使用したときの膨出部（外皮）の沈みによる頭部と骨伝導スピーカとの接触状態を示す断面図であり、（ｂ）は、比較的頭部が重い使用者が使用したときの膨出部を含めた凹み全体の外皮の沈みによる頭部と骨伝導スピーカとの接触状態と、外皮の沈み度合いに応じた骨伝導スピーカの降下移動状態を示す断面図である。
【図４】同第１の実施形態に係る頭部保持装置を、歯科治療用椅子のヘッドレストとして使用した場合の使用例を示す斜視図である。
【図５】本発明に係る骨伝導スピーカ内蔵の頭部保持装置の第２の実施形態を示し、（ａ）は、頭部保持装置を示す斜視図であり、（ｂ）は、骨伝導スピーカが取り付けられている振動部材の両端側が、装置本体の外皮に触れずに、装置本体の凹みの凹み形状に沿って接近している状態を示す断面図であり、（ｃ）は、振動部材の両端に骨伝導スピーカを取り付けた状態を示す斜視図である。
【図６】本発明に係る骨伝導スピーカ内蔵の頭部保持装置の第３の実施形態を示す断面図である。
【図７】本発明に係る骨伝導スピーカ内蔵の頭部保持装置の第４の実施形態を示し、（ａ）は、骨伝導スピーカが装置本体の外皮から離れている状態を示す断面図であり、（ｂ）は、断面位置を変えた同断面図である。
【図８】本発明に係る骨伝導スピーカ内蔵の頭部保持装置の第５の実施形態を示し、（ａ）は、骨伝導スピーカが装置本体の外皮から離れている状態を示す断面図であり、（ｂ）は、断面位置を変えて示す同断面図であり、（ｃ）は、装置本体を厚さ方向に縮めて、骨伝導スピーカを外皮に接近させた使用状態を示す断面図である。
【符号の説明】
【００５９】
Ａ，Ａ−１，Ａ−２，Ａ−３，Ａ−４  頭部保持装置
１，１−１  装置本体
１ａ    緩衝材
１ｂ    外皮
２      骨伝導スピーカ
３，３−１  空間部
４      弾性部材
９      振動部材
１０    可変部材
１２    移動機構
Ｂ      頭部
Ｃ      骨伝導用マイク（マイク）
Ｄ      歯科治療用椅子
【図１】
0004714001.tif 000002
【図２】
0004714001.tif 000003
【図３】
0004714001.tif 000004
【図４】
0004714001.tif 000005
【図５】
0004714001.tif 000006
【図６】
0004714001.tif 000007
【図７】
0004714001.tif 000008
【図８】
0004714001.tif 000009